(57)【要約】      （修正有）【課題】歯型模型での補綴と同様に不良歯牙部に被せて補綴治療をするための補綴用ガイドプレートであって、不良歯牙部に被せて所要の補綴治療を施すための開口部を上記補綴用ガイドプレートに設けたことを特徴とする歯の治療の補綴用ガイドプレートを提供する。【解決手段】歯科の治療用に歯型模型２を作製して、歯型模型２で不良歯牙５部の補綴用部を決定して歯型模型２での補綴と同様に不良歯牙５部に被せて補綴治療をするための補綴用ガイドプレート８であって、不良歯牙５部に被せて不良歯牙５部に所要の補綴治療を施すための開口部を上記補綴用ガイドプレート８に設け、当該開口部を介して切削を施した不良歯牙５部に所要の補綴物を接着するようにしている。【選択図】図５
0003183294.tif 000002
【実用新案登録請求の範囲】
【請求項１】
歯科の治療用に歯型模型を作製して、歯型模型での補綴と同様に不良歯牙部に被せて補綴治療をするための補綴用ガイドプレートであって、
不良歯牙部に被せて所要の補綴治療を施すための開口部を上記補綴用ガイドプレートに設け、当該開口部を介して切削を施した不良歯牙部に所要の補綴物を接着するように形成したことを特徴とする歯の治療の補綴用ガイドプレート。
【請求項２】
補綴用ガイドプレートの開口部を平面状に開口し、上記補綴用ガイドプレートを不良歯牙部に被覆してその平面状に開口した補綴用面を介して不良歯牙部の所要の切削を施して不良歯牙部の平面部に補綴物の平面状に形成した接着面を接着するように形成した請求項１に記載の歯の治療の補綴用ガイドプレート。
【請求項３】
補綴用ガイドプレートの補綴用面の開口部のまわりに切削限を表示するための識別表示を施した請求項１または２に記載の歯の治療の補綴用ガイドプレート。
【請求項４】
補綴用ガイドプレートの補綴用面の開口部のまわりに切削限を表示するための色別表示を施した請求項３に記載の歯の治療の補綴用ガイドプレート。
【請求項５】
補綴用ガイドプレートが、歯の上面側、下面側、側面側のいずれか、またはすべてである請求項１ないし４のいずれかに記載の歯の治療の補綴用ガイドプレート。
【考案の詳細な説明】
【技術分野】
【０００１】
本考案は、歯科・口腔医療分野における歯の治療の補綴用ガイドプレートに関するものである。
【背景技術】
【０００２】
一般に、顎関節症であると肩凝りが起こり、歯の咬み合いがよくないことが原因となっていることが多い。従来、顎関節症等の歯科患者の治療としては、歯科の治療現場において上下の歯の咬合状態を診察し、上下の歯の咬み合い不良歯牙部や間隙などを正常な状態にするために被せなどの補綴治療処置を施しているものであった。
【０００３】
近年、歯科の補綴治療において、接着性レジンの進歩により、全部被覆冠による修復から歯冠の一部あるいは半分位だけ削って、その部分にセラミックやレジン、必要により金属のベニヤ（Ｖｅｎｅｅｒ）を製作し、その支台歯に接着する、いわゆるラミネートべニア（Ｌａｍｉｎａｔｅ  Ｖｅｎｅｅｒ）法が有効に実施されている。
【０００４】
ラミネートべニア法は、何と言っても、歯質削除量が全部被覆冠に比べて少ないことにある。特に、有髄歯においては、支台歯を形成したことによる知覚過敏症や歯髄炎が軽減される。
【０００５】
しかし、ラミネートべニア法は、その形成時に浸潤麻酔または伝達麻酔を要し、尚かつ、仮歯のラミネートベニア（Ｔｅｍｐｏｒａｒｙ  Ｌａｍｉｎａｔｅ  Ｖｅｎｅｅｒ）の装着が必要である。しかし、仮歯のラミネートベニアは暫間的な使用であるため、歯の表面に仮歯のラミネートベニアを装着したセメントが残留すると、最終補綴物が残留セメントの厚み分だけ浮いたまま装着されることとなるので、仮歯を本着用のセメントで本着用の使用法を使用することができない。
【考案の開示】
【考案が解決しようとする課題】
【０００６】
このように仮歯のラミネートベニアでは、通常の全部被覆冠のように歯を３６０度にわたって覆わないため、仮着期間中に脱離の危険性が大きい。もし、仮着期間中に脱離した場合、冷たい物が滲みたり、甚だしくは歯の神経に炎症が起こり、神経を取るということまで起こることがある。これでは、ラミネートベニア本来の「歯を削る量が少なく神経に対する刺激が少ない」という魅力が大きく減ぜられる。
【０００７】
また、ラミネートベニアを含めた歯科の有髄歯補綴は、その形成時に浸潤麻酔または伝達麻酔を必要とするばかりか、その装着時にも同様の麻酔を必要とする。そのため、麻酔処置をすることなく、患者に苦痛を与えることなく、仮歯の装着処置を行うこともなく、できるだけ短時間に治療することが望まれるものであった。
特に、歯の補綴作業が治療者の切削器具による手作業によるものであり、熟練を要するもので、熟練者でなくても、簡単にかつ正確な治療ができることが望まれていた。
【課題を解決するための手段】
【０００８】
本考案は、上記のような点に鑑みたもので、上記の課題を解決するために、歯科の治療用に歯型模型を作製して、歯型模型での補綴と同様に不良歯牙部に被せて補綴治療をするための補綴用ガイドプレートであって、不良歯牙部に被せて所要の補綴治療を施すための開口部を上記補綴用ガイドプレートに設け、当該開口部を介して切削を施した不良歯牙部に所要の補綴物を接着するように形成したことを特徴とする歯の治療の補綴用ガイドプレートを提供するものである。
【０００９】
また、補綴用ガイドプレートの開口部を平面状に開口し、上記補綴用ガイドプレートを不良歯牙部に被覆してその平面状に開口した補綴用面を介して不良歯牙部の所要の切削を施して不良歯牙部の平面部に補綴物の平面状に形成した接着面を接着するように形成したことを特徴とする歯の治療の補綴用ガイドプレートを提供するものである。
【００１０】
また、補綴用ガイドプレートの補綴用面の開口部のまわりに切削限を表示するための識別表示を施したことを特徴とする歯の治療の補綴用ガイドプレートを提供するものである。
【００１１】
さらに、補綴用ガイドプレートの補綴用面の開口部のまわりに切削限を表示するための色別表示を施したことを特徴とする歯の治療の補綴用ガイドプレートを提供するものである。
【００１２】
さらにまた、補綴用ガイドプレートが、上下顎の咬合面、頬側面、舌側面、隣接面のいずれか、またはすべてであることを特徴とする歯の治療の補綴用ガイドプレートを提供するものである。
【考案の効果】
【００１３】
本考案にあっては、実用新案登録請求の範囲の請求項１に記載のように、歯科の治療用に歯型模型を作製して、歯型模型での補綴と同様に不良歯牙部に被せて補綴治療をするための補綴用ガイドプレートであって、不良歯牙部に被せて所要の補綴治療を施すための開口部を上記補綴用ガイドプレートに設け、当該開口部を介して切削を施した不良歯牙部に所要の補綴物を接着するように形成したことによって、歯型模型によって治療者の歯の咬み合わせ不良の不良歯牙部を診断できて、作製した補綴用ガイドプレートを不良歯牙部に被せて切削して治療することができる。そのため、歯型模型で作製した補綴用ガイドプレートにより歯質を削る量を最小限にできて、麻酔注射をする必要なく、患者に苦痛を与えることなく、比較的短時間に、かつ特に熟練を要することなく、最小限の介入で治療することができる。
【００１４】
また、請求項２に記載のように、補綴用ガイドプレートの開口部を平面状に開口し、上記補綴用ガイドプレートを不良歯牙部に被覆してその平面状に開口した補綴用面を介して不良歯牙部の所要の切削を施して不良歯牙部の平面部に補綴物の平面状に形成した接着面を接着するように形成したことによって、補綴用ガイドプレートの開口を介して不良歯牙部の補綴用面を平面状に補綴でき、補綴物の平面状態の接着面の接着が簡単に、かつ強固に接着して治療することができる。
【００１５】
さらに、請求項３に記載のように、補綴用ガイドプレートの補綴用面の開口部のまわりに切削限を表示するための識別表示を施したことによって、治療の補綴時に不良歯牙の要切削部を識別表示以上に切削すると、識別表示がなくなるので、切削限を認識できて、歯型模型と同様の予め設定した切削量の治療処置ができる。
【００１６】
さらに、請求項４に記載のように、補綴用ガイドプレートの補綴用面の開口部のまわりに切削限を表示するための色別表示を施したことによって、治療の補綴時に不良歯牙の要切削部を色別表示以上に切削すると、色別表示がなくなるので、切削限を容易に認識できて、歯型模型と同様の予め設定した切削量の治療処置ができる。
【００１７】
さらに、請求項５に記載のように、補綴用ガイドプレートが、上下顎の咬合面、頬側面、舌側面、隣接面のいずれか、またはすべてであることによって、所要の不良歯牙部の補綴治療を上記したようにして簡単に行うことができる。
【図面の簡単な説明】
【００１８】
【図１】初診時の診断用歯型模型の比較用図（ａ）、（ｂ）、
【図２】本考案の一実施例の上下の歯型を型取りして咬合器に装着した状態図、
【図３】同上の歯型模型による咬合不良歯牙部の説明用図（ａ）、（ｂ）、
【図４】同上の咬合不良歯牙部の補綴用ガイドプレート作製堤の説明用図、
【図５】同上の咬合不良歯牙部の第１面の補綴用ガイドプレート作製の説明用図（ａ）、（ｂ）、
【図６】同上の咬合不良歯牙部の第１面の補綴用ガイドプレートによる補綴説明用図、
【図７】同上の咬合不良歯牙部の第２面の補綴用ガイドプレート作製の説明用図（ａ）、（ｂ）、
【図８】同上の咬合不良歯牙部の第１面、第２面の補綴用ガイドプレート説明用図（ａ）、（ｂ）、
【図９】同上の補綴物作製の説明用図（ａ）、（ｂ）、
【図１０】同上の作製した補綴物の斜視図（ａ）と研磨仕上げした斜視図（ｂ）、
【図１１】同上の作製した補綴物を歯型模型に被せた状態の説明用図、
【図１２】同上の第１面の補綴用ガイドプレートを被治療部に被せた治療説明用図（ａ）、（ｂ）、（ｃ）、
【図１３】同上の第２面の補綴用ガイドプレートを被治療部に被せた治療説明用図（ａ）と補綴用ガイドプレートを外した治療説明用図（ｂ）、
【図１４】同上の被治療部に接着した補綴物の隅角取りの説明用図、
【図１５】同上の被治療部の治療完成説明図、
【図１６】同上の他の実施例の咬合不良歯牙部の補綴用ガイドプレートによる補綴説明用図（ａ）、補綴用ガイドプレートを被治療部に被せた治療説明用図（ｂ）、補綴用ガイドプレートによる補綴治療説明用図（ｃ）。
【考案が実施しようとする形態】
【００１９】
本考案の歯の治療の補綴用ガイドプレートは、歯科の治療用に歯型模型を作製して、歯型模型での補綴と同様に不良歯牙部に被せて補綴治療をするための補綴用ガイドプレートであって、不良歯牙部に被せて所要の補綴治療を施すための開口部を上記補綴用ガイドプレートに設け、当該開口部を介して切削を施した不良歯牙部に所要の補綴物を接着するように形成したことを特徴としている。
【００２０】
顎関節症であると肩凝りが起こり、歯の咬み合いがよくないことが原因となっていることが多い。また、広範囲にわたる浅在性▼う▲蝕による問題で、治療が必要となる。そこで、治療にあたっては、患者の主訴を考慮して、ラミネートベニアによる修復が適当と診断して治療が決定した際、図１（ａ）、（ｂ）のように初診時の患者の口腔内の状況把握用模型と保存用のワックスアップした診断用模型を作製し、これらを比較して、本考案の適用か、従来の印象時に歯を削るラミネートベニアあるいは被覆冠かを決定する。
【００２１】
そして、本考案手段が適切と決定したとき、シリコン印象材等にて該当顎の印象（型取り）を行い、シリコンバイト等にて正確に上下の歯１の咬み合わせ状況の記録を取る。そして、図２のように歯１の歯型取りして作製した上下の歯型模型２、３を咬合器４に装着し、咬合器４で咬合診断して歯型模型２、３にて削る必要のある不良歯牙５の要切削部に図３（ａ）、（ｂ）のようにその部位を鉛筆や色鉛筆等のマーク手段で印を付けて分かり易くしておくのが好ましい。
【００２２】
歯型模型２、３を作製するには、幾何学的配置形態で光学的や工学的手段でスキャンするなど適宜な手段で作製することもできる。
【００２３】
そこで、図４のように該当の不良歯牙５部を含めた前後の歯型模型２、３の不良歯牙５部の全表面とその周囲の歯牙部をワックス等で薄く包囲するとともに、アンダーカット部をワックス等にてブロックアウトし、図のようにその周囲を１〜２cm程の所定幅でパラフィンワックス等にて囲んで補綴用ガイドプレート作製堤６を作る。
【００２４】
そして、図５（ａ）のようにその補綴用ガイドプレート作製堤６内に重合レジン等の所要のガイドプレート材料７を流し込んで補綴用ガイドプレート８の原型を作る。形成予定の不良歯牙５部の即時重合レジン等のガイドプレート材料７は、その厚みを薄くし、ガイドプレート材料７部と不良歯牙５部を一緒に削る際に部位を分かり易くすることが好ましい。
【００２５】
重合レジン等のガイドプレート材料７が硬化したら、図５（ｂ）のようにパラフィンワックス等の補綴用ガイドプレート作製堤６を除去し、図のようにレジン等の補綴用ガイドプレート８を歯型模型２から取り外し、図６のように補綴用ガイドプレート８を歯型模型２の不良歯牙５部に戻し、形成該当部位の補綴用ガイドプレート８を介して不良歯牙５の要切削部を所要厚のラミネートベニアを補綴可能に一緒に削る。
【００２６】
その際、不良歯牙５の要切削部は、直線的かつ平面的に削るのが好ましく、その削りに使用するバーの形態はシリンダー型が良く、診療室で使用するバーと同型のものが望ましい。こうして所要の第１面用の補綴用ガイドプレート８を作製することができる。
【００２７】
そのため、補綴用ガイドプレート８の補綴用面を平面状に開口すると、不良歯牙５部の補綴面を平面状に切削でき、補綴物９を平面状態の接着面として、簡単に接着できて補綴治療することができて好ましい。
【００２８】
第２面目等の形成が必要な場合には、図７（ａ）、（ｂ）のように上記と同様にして歯型模型２、３の所要の不良歯牙５部にて形成し、第２面等の補綴用ガイドプレート８を作製することができる。このようにして図８（ａ）、（ｂ）のように所要の第１面、第２面等の補綴用ガイドプレート８を作製することができる。
【００２９】
このような補綴用ガイドプレート８としては、図８（ａ）、（ｂ）のように上下顎の咬合面や頬側面の所要の第１面、第２面等のように断面がコ字状やＬ字状として不良歯牙５部に嵌装状態に引っ掛けるような形態とすることが、不良歯牙５部に被せて補綴治療をし易くできて好ましい。また、補綴用ガイドプレート８は、図８（ａ）、（ｂ）のようにやや長めに形成して作業し易くすることが好ましく、さらに補綴用ガイドプレート８を上記の第１面と第２面等を一体的に形成した補綴用ガイド材として補綴治療をし易くするようにもできる。
【００３０】
このように形成された歯型模型２、３を咬合器４に装着し、該当部位とその咬み合う歯とのクリアランス（隙間）が適正であることを確認し、適正である場合、本考案によるラミネートベニアを製作する。そのセラミック製等のラミネートベニアの製作には種々の方法はあり、たとえば図９（ａ）、（ｂ）のように作業用歯型模型にワックスアップ（補綴用型を作り）し、それを所要のセラミック等の圧迫鋳造器を使用して作製することができる。
【００３１】
作業用歯型模型にワックスアップして注入したセラミック等の補綴物成形材料は、埋没圧迫鋳造して図１０（ａ）のようにラミネートベニアを圧迫鋳造し、図１０（ｂ）のように所要の研磨をして技工物の補綴物９を作製でき、図１１のように歯型模型２に装着することができる。
【００３２】
不良歯牙５部には、上記したように補綴用ガイドプレート８の平面状に開口部によって、その被覆部を平面状の補綴面としているので、不良歯牙５部の平面状の補綴面に補綴物９の平面状の接着面を接着でき、補綴物９を簡単に接着できて治療することができる。
【００３３】
このような補綴用テンプレート８の作製にあっても、上記したように歯型模型２、３を幾何学的配置形態で光学的や工学的手段でスキャンして作製したデータの保存にもとづいて作製することも可能であり、補綴物９についても作製したデータの保存にもとづいて作製することも可能である。
【００３４】
そして、診療室の患者の口腔内へ装着するには、図１２（ａ）のように上記第１面の補綴用ガイドプレート８を該当部の不良歯牙５部に嵌装して試適して適合安定を確認し、図１２（ｂ）のように不良歯牙５部と補綴用ガイドプレート８との要切削部の境目部分に歯科用マーカーの着色等で識別して明瞭化し、図１２（ｃ）のように着色した識別部１０より飛び出している不良歯牙５の要切削部を直線的かつ平面的に着色等の識別部１０が削り落とされるまで切削する。そのため、本考案では、歯牙形成を歯型模型２、３により断続的に行うことにより、浸潤麻酔は殆ど不要にできる。
【００３５】
なお、図１３（ａ）、（ｂ）のように第２面等の補綴にあっても、上記したようにして同様に行うことができる。
【００３６】
そして、図１４のように形成の最後に、第１面、第２面等の補綴物９の隅角を研磨して装着する補綴物９の応力局所集中を防いで、後にセメント接着する際の適合を向上させるものである。
【００３７】
このようにして、上記のようにして作製したラミネートベニアの補綴物９を図１５のように通法にしたがって不良歯牙５部に接着して治療できる。したがって、従来のラミネートベニア法に比べて、現代社会で望まれている最少介入（Ｍｉｎｉｍｕｍ  Ｉｎｔｅｒｖａｔｉｏｎ）で治療できる。
【００３８】
なお、不良歯牙５部の補綴用ガイドプレート８を図１６（ａ）、（ｂ）、（ｃ）のように歯１の咬合面と頬側面とを一体的に作製して、上記のように補綴治療することもでき、また咬合面の咬合状態を調整可能に補綴用ガイドプレート８を作製するなど、患者の歯の状況に応じて適宜の実施態様のものとすることができる。
【００３９】
上記では、顎関節症や浅在性▼う▲蝕の患者の治療の一部の不良歯牙部について説明したが、前歯等の変色歯の美容整形用にも適用可能であり、さらに上記した本考案の趣旨にもとづいて他の実施態様を採択することができる。
【実施例】
【００４０】
図２以下は、本考案の実施例である。顎関節症等による上下顎の咬合面の咬み合いの矯正にあって、本考案の適用が有効と判断できると、シリコン印象材にて該当顎の印象（型取り）を行い、上下の歯１の位置関係をシリコンバイトにて正確に上下の歯１の咬み合わせ状況の記録を取っておく。そして、歯１の上下の歯型模型２、３を作製し、図２のように歯１の上下の歯型模型２、３を咬合器４に装着する。
【００４１】
そして、咬合器４上の歯型模型２、３にて削る必要のある不良歯牙５を診断して決定し、図３（ａ）、（ｂ）のようにその要切削部位を色鉛筆のマーク手段で印を付け、図４のように該当の不良歯牙５部を含めた前後の歯型模型２の不良歯牙５部の全表面とその周囲の歯牙部をワックスで薄く包囲し、アンダーカット部をワックスにてブロックアウトする。そして、図のようにその周囲を２cm程の所定幅をパラフィンワックスにて囲んで補綴用ガイドプレート作製堤６を作る。
【００４２】
そこで、図５（ａ）のようにその補綴用ガイドプレート作製堤６内に所要の重合レジンのガイドプレート材料７を流し込み、形成予定の不良歯牙５部の即時重合レジンのガイドプレート材料７の厚みを薄くした補綴用ガイドプレート８の原型を作る。
そして、重合レジンのガイドプレート材料７が硬化したら、図５（ｂ）のようにパラフィンワックスの補綴用ガイドプレート作製堤６を除去し、図のようにレジンの補綴用ガイドプレート８を歯型模型２から取り外し、図６のように補綴用ガイドプレート８を歯型模型２の不良歯牙５部に戻し、形成該当部位の補綴用ガイドプレート８を介して不良歯牙５の要切削部を一緒に直線的かつ平面的に診療室で使用するバーと同型のもので削っていく。こうして下顎の咬合面の第１面用の補綴用ガイドプレート８を作製することができる。
【００４３】
不良歯牙５の部の頬側面の第２面目の形成の場合にも、図７（ａ）、（ｂ）のように上記と同様にして歯型模型２の所要の不良歯牙５部にて形成し、第２面目の補綴用ガイドプレート８を作製し、形成該当部位の補綴用ガイドプレート８を介して不良歯牙５の要切削部を同様にして削っていく。こうして図８（ａ）、（ｂ）のように所要の第１面用、第２面用の補綴用ガイドプレート８を作製することができる。
【００４４】
上記のように形成された歯型模型２、３を咬合器４に装着し、該当部位とその咬み合う歯とのクリアランス（隙間）が適正であることを確認し、適正である場合、図９（ａ）、（ｂ）のようにラミネートベニアを作業用歯型模型２にワックスアップし、所要のセラミック圧迫鋳造器（たとえばＩｖｏｃｌａｒ  Ｖｉｖａｄｅｎｔ社製Ｉｖｏｃｌａｒ  Ｖｉｖａｄｅｎｔ  Ｐｒｏｇｒａｍａｔ）を使用し、所要のセラミックの補綴物成形材料を注入して図１０（ａ）のように作製していき、所要の研磨をして図１０（ｂ）のように技工物の補綴物９を完成できる。
【００４５】
診療室の患者の口腔内へ装着するには、図１２（ａ）のように上記第１面の補綴用ガイドプレート８を該当部の不良歯牙５部に嵌装状態に引っ掛けて試適して適合安定を確認し、図１２（ｂ）のように不良歯牙５部と補綴用ガイドプレート８との補綴用開口の境目部分に歯科用マーカーで着色して識別部１０を付する。そして、図１２（ｃ）のように補綴用開口の着色部より飛び出している不良歯牙５の要切削部を直線的かつ平面的に着色した識別部１０が削り落とされるまで切削していく。補綴用ガイドプレート８の切削用の開口部のまわりに識別しておくと、治療時の切削時に識別部１０以上に切削すると、識別部１０がなくなるので、切削限を認識できて、歯型模型２での作製と同様に処置でき、設定どおりの切削量の補綴処置ができて好ましい。
【００４６】
また、上記補綴部の接着面を平面状とすることによって、補綴物９の接着面も平面状として、補綴の接着面が平面同士となって、簡単に接着することができて好ましい。
【００４７】
図１３（ａ）のように該当部の不良歯牙５部の頬側面の第２面の補綴処置にあっても、上記したようにして同様に行っていく。そして、図１４のように形成の最後に、第１面、第２面の補綴物９の隅角を研磨して装着する補綴物９の応力局所集中を防いでいき、図１５のようにラミネートベニアを通法にしたがって不良歯牙５部に接着して治療できるものである。
【００４８】
したがって、治療現場でなく、歯１の型取りした歯型模型２、３によって患者の歯の咬み合わせ不良歯牙部を十分に診断でき、不良歯牙５部の補綴部を決定し、歯型模型２、３を介して補綴用ガイドプレート８を作製できる。そのため、印象日には、歯を削らずに、現況の印象のみを行い、したがって麻酔は要らなく、歯を削らないので、仮歯のラミネートベニアの製作は必要なく、その脱離もない。そして、治療日に、予め歯型模型２、３で作製した補綴用ガイドプレート８を不良歯牙５部に被せて、より歯質を削る量を最小限にできて、患者に苦痛を与えることなく、比較的短時間に、かつ特に熟練を要することなく、現代社会で望まれている最少介入で補綴治療ができるものである。
【００４９】
図１６（ａ）、（ｂ）、（ｃ）は、本考案の他の実施例で、不良歯牙５部の補綴用ガイドプレート８を歯１の咬合面と頬側面とを一体的に作製したものである。このようにして、不良歯牙５部の咬合面と頬側面とを一体的に作製し、１ないし複数個所の不良歯牙５部を上記のように補綴治療することもできる。また、図１６（ａ）のように咬合面の咬合状態を調整可能に補綴用ガイドプレート８を作製し、上記のように補綴治療することもできる。
【００５０】
上記では、顎関節症の患者の治療例について説明したが、浅在性▼う▲蝕の修復や変色歯の治療、その他の不良歯牙等の治療や美容用にも適用可能であり、また補綴部は平面状が好ましいが、平面状以外でも適用可能であり、上記した本考案の趣旨にもとづいて所要の補綴物成形材料を使用したり、歯型模型の作製に三次元モデル作製用のコンピューター等を利用して行うなど、他の実施態様を採択することができる。
【産業上の利用可能性】
【００５１】
本考案は、顎関節症等の歯の咬合治療、広範囲の浅在性▼う▲蝕の修復や変色歯の治療歯の美容整形治療等に広く利用することができる。
【符号の説明】
【００５２】
１…歯        ２…歯型模型    ３…歯型模型        ４…咬合器      ５…不良歯牙  ６…補綴用ガイドプレート作製堤    ８…補綴用ガイドプレート    ９、１０…補綴物
【図１】
0003183294.tif 000003
【図２】
0003183294.tif 000004
【図３】
0003183294.tif 000005
【図４】
0003183294.tif 000006
【図５】
0003183294.tif 000007
【図６】
0003183294.tif 000008
【図７】
0003183294.tif 000009
【図８】
0003183294.tif 000010
【図９】
0003183294.tif 000011
【図１０】
0003183294.tif 000012
【図１１】
0003183294.tif 000013
【図１２】
0003183294.tif 000014
【図１３】
0003183294.tif 000015
【図１４】
0003183294.tif 000016
【図１５】
0003183294.tif 000017
【図１６】
0003183294.tif 000018
【手続補正書】
【提出日】平成25年3月4日(2013.3.4)
【手続補正１】
【補正対象書類名】実用新案登録請求の範囲
【補正対象項目名】全文
【補正方法】変更
【補正の内容】
【実用新案登録請求の範囲】
【請求項１】
歯型模型での補綴と同様に不良歯牙部に被せて補綴治療をするための補綴用ガイドプレートであって、
不良歯牙部に被せて所要の補綴治療を施すための開口部を上記補綴用ガイドプレートに設けたことを特徴とする歯の治療の補綴用ガイドプレート。
【請求項２】
不良歯牙部を平面状に切削を施すために、補綴用ガイドプレートの補綴用面の開口部のまわりを平面状に形成した請求項１に記載の歯の治療の補綴用ガイドプレート。
【請求項３】
補綴用ガイドプレートの補綴用面の開口部のまわりに切削限を表示するための識別表示を施した請求項１または２に記載の歯の治療の補綴用ガイドプレート。
【請求項４】
補綴用ガイドプレートの補綴用面の開口部のまわりに切削限を表示するための色別表示を施した請求項３に記載の歯の治療の補綴用ガイドプレート。
【請求項５】
補綴用ガイドプレートが、歯の上顎咬合面と頬側面、または下顎咬合面と頬側面に一体的に被せて上顎咬合面側と頬側面側、または下顎咬合面と頬側面側の不良歯牙部を補綴可能に形成したものである請求項１ないし４のいずれかに記載の歯の治療の補綴用ガイドプレート。
【手続補正２】
【補正対象書類名】明細書
【補正対象項目名】０００８
【補正方法】変更
【補正の内容】
【０００８】
本考案は、上記のような点に鑑みたもので、上記の課題を解決するために、歯型模型での補綴と同様に不良歯牙部に被せて補綴治療をするための補綴用ガイドプレートであって、不良歯牙部に被せて所要の補綴治療を施すための開口部を上記補綴用ガイドプレートに設けたことを特徴とする歯の治療の補綴用ガイドプレートを提供するものである。
【手続補正３】
【補正対象書類名】明細書
【補正対象項目名】０００９
【補正方法】変更
【補正の内容】
【０００９】
また、不良歯牙部を平面状に切削を施すために、補綴用ガイドプレートの補綴用面の開口部のまわりを平面状に形成したことを特徴とする歯の治療の補綴用ガイドプレートを提供するものである。
【手続補正４】
【補正対象書類名】明細書
【補正対象項目名】００１２
【補正方法】変更
【補正の内容】
【００１２】
さらにまた、補綴用ガイドプレートが、歯の上顎咬合面と頬側面、または下顎咬合面と頬側面に一体的に被せて上顎咬合面側と頬側面側、または下顎咬合面と頬側面側の不良歯牙部を補綴可能に形成したものであることを特徴とする歯の治療の補綴用ガイドプレートを提供するものである。
【手続補正５】
【補正対象書類名】明細書
【補正対象項目名】００１３
【補正方法】変更
【補正の内容】
【００１３】
本考案にあっては、実用新案登録請求の範囲の請求項１に記載のように、歯型模型での補綴と同様に不良歯牙部に被せて補綴治療をするための補綴用ガイドプレートであって、不良歯牙部に被せて所要の補綴治療を施すための開口部を上記補綴用ガイドプレートに設けたことによって、歯型模型によって治療者の歯の咬み合わせ不良の不良歯牙部を診断できて、作製した補綴用ガイドプレートを不良歯牙部に被せて切削して治療することができる。そのため、歯型模型で作製した補綴用ガイドプレートにより歯質を削る量を最小限にできて、麻酔注射をする必要なく、患者に苦痛を与えることなく、比較的短時間に、かつ特に熟練を要することなく、最小限の介入で治療することができる。
【手続補正６】
【補正対象書類名】明細書
【補正対象項目名】００１４
【補正方法】変更
【補正の内容】
【００１４】
また、請求項２に記載のように、不良歯牙部を平面状に切削を施すために、補綴用ガイドプレートの補綴用面の開口部のまわりを平面状に形成したことによって、補綴用ガイドプレートの開口を介して不良歯牙部の要切削部の補綴用面を平面状に補綴でき、補綴物の平面状態の接着面の接着が簡単に、かつ強固に接着して治療することができる。
【手続補正７】
【補正対象書類名】明細書
【補正対象項目名】００１７
【補正方法】変更
【補正の内容】
【００１７】
さらに、請求項５に記載のように、補綴用ガイドプレートが、歯の上顎咬合面と頬側面、または下顎咬合面と頬側面に一体的に被せて上顎咬合面側と頬側面側、または下顎咬合面と頬側面側の不良歯牙部を補綴可能に形成したものであることによって、所要の不良歯牙部の補綴治療を上記したようにして簡単に行うことができる。
【手続補正８】
【補正対象書類名】明細書
【補正対象項目名】００１９
【補正方法】変更
【補正の内容】
【００１９】
本考案の歯の治療の補綴用ガイドプレートは、歯型模型での補綴と同様に不良歯牙部に被せて補綴治療をするための補綴用ガイドプレートであって、不良歯牙部に被せて所要の補綴治療を施すための開口部を上記補綴用ガイドプレートに設けたことを特徴としている。
【手続補正９】
【補正対象書類名】明細書
【補正対象項目名】００２７
【補正方法】変更
【補正の内容】
【００２７】
そのため、補綴用ガイドプレート８の補綴用面の開口部のまわりを平面状にして開口すると、不良歯牙５部の補綴面を平面状に切削でき、補綴物９を平面状態の接着面として、簡単に接着できて補綴治療することができて好ましい。
【手続補正１０】
【補正対象書類名】明細書
【補正対象項目名】００３２
【補正方法】変更
【補正の内容】
【００３２】
不良歯牙５部には、上記したように補綴用ガイドプレート８の補綴用面の開口部のまわりを平面状にして開口することによって、その被覆部を平面状の補綴面としているので、不良歯牙５部の平面状の補綴面に補綴物９の平面状の接着面を接着でき、補綴物９を簡単に接着できて治療することができる。